(57)【要約】      （修正有）【課題】電子機器及び収納ケースにおける化学電池の液漏れを防止する。【解決手段】化学電池５０を電源として駆動する電子機器は、化学電池からの電力が供給される負荷装置２９と、接点２６ａ、２６ｂの開閉により電池と負荷装置とが電気的に接続されていない状態と接続されている状態とを切り替える少なくとも１つの液漏れ防止スイッチを有する電源回路４０と、を備える。操作部は、電子機器が特定の設置状態となった場合に、化学電池と負荷装置とが電気的に接続されていない状態になるように押圧される位置に設けらる。【選択図】図８
2019115090.tif 000002
【特許請求の範囲】
【請求項１】
化学電池を電源として駆動する電子機器であって、
前記化学電池からの電力が供給される負荷装置と、
機械的に開閉する接点と、前記電子機器の表面に設けられた操作部と、前記操作部に加わった力を前記接点に機械的に伝達する機構と、を有し、前記接点の開閉により前記化学電池と前記負荷装置とが電気的に接続されていない状態と接続されている状態とを切り替える、少なくとも１つのスイッチと、を備え、
前記操作部は、前記電子機器が特定の設置状態となった場合に、前記化学電池と前記負荷装置とが電気的に接続されていない状態になるように押圧される位置に設けられた
ことを特徴とする電子機器。
【請求項２】
請求項１に記載の電子機器において、
前記少なくとも１つのスイッチは、モーメンタリスイッチである
ことを特徴とする電子機器。
【請求項３】
請求項１又は請求項２に記載の電子機器において、
前記少なくとも１つのスイッチは、ｂ接点スイッチである
ことを特徴とする電子機器。
【請求項４】
請求項３に記載の電子機器において、
前記操作部は、前記電子機器を使用する際に設置面と接する表面とは異なる面に設けられる
ことを特徴とする電子機器。
【請求項５】
請求項１又は請求項２に記載の電子機器において、
前記少なくとも１つのスイッチは、ａ接点スイッチである
ことを特徴とする電子機器。
【請求項６】
請求項５に記載の電子機器において、
前記操作部は、前記電子機器を使用する際に設置面と接する表面に設けられる
ことを特徴とする電子機器。
【請求項７】
請求項１乃至請求項６のいずれか１項に記載の電子機器において、
前記少なくとも１つのスイッチは、複数のスイッチであり、
前記複数のスイッチに含まれる複数の接点は、前記化学電池と前記負荷装置との間に、並列接続されている
ことを特徴とする電子機器。
【請求項８】
請求項７に記載の電子機器において、
前記複数のスイッチに含まれる複数の操作部は、前記電子機器の同じ面に設けられている
ことを特徴とする電子機器。
【請求項９】
請求項１乃至請求項４のいずれか１項に記載の電子機器を収納する収納ケースであって、
前記電子機器が収納されているときに、前記操作部を押圧する形状を有する
ことを特徴とする収納ケース。
【請求項１０】
請求項１、請求項２、請求項５又は請求項６に記載の電子機器を収納する収納ケースであって、
前記電子機器が収納されているときに、前記操作部を押圧しない形状を有する
ことを特徴とする収納ケース。
【発明の詳細な説明】
【技術分野】
【０００１】
本明細書の開示は、電子機器、及び、その電子機器を収納する収納ケースに関する。
【背景技術】
【０００２】
一次電池や二次電池などの化学電池は、現在、電子機器の電源として広く使用されている。化学電池は、長期間放置するなどにより過放電状態が継続すると、電池内部で発生したガスとともに電解液が漏れ出すことがある。一般に液漏れと呼ばれるこの現象は、電子機器にダメージを与える虞があることから、従来から様々な対策が提案されている。
【０００３】
例えば、特許文献１には、トランジスタを用いて一次電池の過放電を停止して液漏れを防止する技術が記載されている。
【先行技術文献】
【特許文献】
【０００４】
【特許文献１】特開２００２−３４５１６０号公報
【発明の概要】
【発明が解決しようとする課題】
【０００５】
液漏れ対策としては、上述した技術を含む様々な技術が提案されているが、今尚、新たな技術が求められている。
【０００６】
以上のような実情を踏まえ、本発明の一側面に係る目的は、化学電池の液漏れを防止する技術を提供することである。
【課題を解決するための手段】
【０００７】
本発明の一態様に係る電子機器は、化学電池を電源として駆動する電子機器であって、前記化学電池からの電力が供給される負荷装置と、少なくとも１つのスイッチと、を備える。少なくとも１つのスイッチは、機械的に開閉する接点と、前記電子機器の表面に設けられた操作部と、前記操作部に加わった力を前記接点に機械的に伝達する機構と、を有し、前記接点の開閉により前記化学電池と前記負荷装置とが電気的に接続されていない状態と接続されている状態とを切り替える。前記操作部は、前記電子機器が特定の設置状態となった場合に、前記化学電池と前記負荷装置とが電気的に接続されていない状態になるように押圧される位置に設けられている。
【０００８】
本発明の一態様に係る収納ケースは、上記の態様に係る電子機器を収納する収納ケースであって、前記電子機器が収納されているときに、前記操作部を押圧する形状を有する。
【０００９】
本発明の別の態様に係る収納ケースは、上記の態様に記載の電子機器を収納する収納ケースであって、前記電子機器が収納されているときに、前記操作部を押圧しない形状を有する。
【発明の効果】
【００１０】
上記の態様によれば、化学電池の液漏れを防止することができる。
【図面の簡単な説明】
【００１１】
【図１】印刷装置１の斜視図の一例である。
【図２】印刷装置１の斜視図の別の例である。
【図３】印刷装置１に収納されるテープカセット３０の斜視図の一例である。
【図４】印刷装置１のカセット収納部１９の斜視図の一例である。
【図５】印刷装置１の断面図の一例である。
【図６】印刷装置１のハードウェア構成を示したブロック図の一例である。
【図７】液漏れ防止スイッチ２５の構成例について説明するための図である。
【図８】液漏れ防止スイッチ２５の接続例を示した図である。
【図９】縦置きされた印刷装置１の斜視図の一例である。
【図１０】印刷装置１と収納ケース６０の斜視図の一例である。
【図１１】裏返した印刷装置１ａの斜視図の一例である。
【図１２】液漏れ防止スイッチ７５の動作例について説明するための図である。
【発明を実施するための形態】
【００１２】
図１及び図２は、一実施形態に係る印刷装置１の斜視図の一例である。印刷装置１は、化学電池を電源として駆動する電子機器の一例であり、例えば、長尺状の被印刷媒体Ｍに印刷を行うラベルプリンタである。以降では、インクリボンを使用する熱転写方式のラベルプリンタを例にして説明するが、印刷方式は特に限定されない。印刷装置１は、感熱紙を使用する感熱方式のラベルプリンタであってもよい。また、印刷装置１は、インクジェットプリンタ、レーザプリンタなどであってもよい。また、以降では、シングルパス（ワンパス）方式で印刷を行うラベルプリンタを例示するが、印刷装置１は、マルチパス（スキャン）方式で印刷を行ってもよい。
【００１３】
被印刷媒体Ｍは、テープカセット内部にロール状に巻かれた状態で収容されている長尺状のテープ部材であり、粘着層を有している。被印刷媒体Ｍは、例えば、接着層を有する基材と、接着層を覆うように剥離可能に基材に貼付された剥離紙と、を有する粘着テープ部材であってもよく、離型紙なしの粘着テープ部材であってもよい。
【００１４】
印刷装置１は、図１に示すように、装置筐体２と、入力部３と、表示装置４と、開閉蓋１８と、カセット収容部１９を備える。装置筐体２の上面には、入力部３、表示装置４、及び開閉蓋１８が配置されている。また、図示しないが、装置筐体２には、電源コード接続端子、外部機器接続端子、記憶媒体挿入口等が設けられている。
【００１５】
入力部３は、入力キー、十字キー、変換キー、決定キーなどの種々のキーを備える。表示装置４は、例えば液晶ディスプレイ、有機ＥＬ（electro-luminescence）ディスプレイなどであり、入力部３からの入力に対応する文字等、各種設定のための選択メニュー、各種処理に関するメッセージ等を表示する。また、印刷中には、被印刷媒体Ｍへの印刷が指示された文字や図形等の内容が表示され、印刷処理の進捗状況が表示されてもよい。なお、表示装置４にはタッチパネルユニットが設けられていてもよく、その場合、表示装置４を入力部３の一部として看做してもよい。
【００１６】
開閉蓋１８は、カセット収容部１９の上部に開閉可能に配置されている。開閉蓋１８は、ボタン１８ａを押下されることにより開放される。開閉蓋１８には、この開閉蓋１８が閉じた状態でもカセット収容部１９にテープカセット３０（図３参照）が収容されているか否かを目視で確認可能とするために、窓１８ｂが形成されている。また、装置筐体２の側面には、排出口２ａが形成されている。印刷装置１内で印刷が行われた被印刷媒体Ｍは、排出口２ａから装置外へ排出される。
【００１７】
印刷装置１は、さらに、図２に示すように、少なくとも１つの液漏れ防止スイッチ２５を備えている。この例では、印刷装置１に、２つの液漏れ防止スイッチ２５（液漏れ防止スイッチ２５ａ、液漏れ防止スイッチ２５ｂ）が設けられている。液漏れ防止スイッチ２５ａ及び液漏れ防止スイッチ２５ｂは、電池の液漏れを防止するために設けられたスイッチである。液漏れ防止スイッチ２５ａ及び液漏れ防止スイッチ２５ｂ（より詳細には、液漏れ防止スイッチ２５ａの操作部２７ａ、液漏れ防止スイッチ２５ｂの操作部２７ｂ）は、装置筐体２の背面に設けられている。
【００１８】
なお、本明細書において、印刷装置１の正面とは、印刷装置１を使用するときに利用者が立つ側にある印刷装置１の表面のことをいい、その反対側にある印刷装置１の表面を背面という。また、印刷装置１の底面とは、印刷装置１を使用するときに設置面と接する印刷装置１の表面のことをいい、その反対側にある印刷装置１の表面を上面という。
【００１９】
図３は、印刷装置１に収容されるテープカセット３０の斜視図の一例である。図４は、印刷装置１のカセット収容部１９の斜視図の一例である。図５は、印刷装置１の断面図の一例である。図３に示すテープカセット３０は、図４に示すカセット収容部１９に着脱自在に収容される。図５には、テープカセット３０がカセット収容部１９に収容された状態が示されている。
【００２０】
テープカセット３０は、図３に示すように、被印刷媒体ＭとインクリボンＲを収容するカセットケース３１を有する。カセットケース３１には、サーマルヘッド被挿入部３６及び係合部３７が形成されている。また、カセットケース３１には、テープコア３２とインクリボン供給コア３４とインクリボン巻取りコア３５が設けられている。被印刷媒体Ｍは、カセットケース３１内部のテープコア３２にロール状に巻かれている。また、熱転写用のインクリボンＲは、その先端がインクリボン巻取りコア３５に巻きつけられた状態で、カセットケース３１内部のインクリボン供給コア３４にロール状に巻かれている。
【００２１】
装置筐体２のカセット収容部１９には、図４に示すように、テープカセット３０を所定の位置に支持するための複数のカセット受け部２０が設けられている。また、カセット受け部２０には、テープカセット３０が収容するテープ（被印刷媒体Ｍ）の幅を検出するためのテープ幅検出スイッチ２４が設けられている。
【００２２】
テープ幅検出スイッチ２４は、テープカセットの形状に基づいて被印刷媒体Ｍの幅を検出するためのスイッチである。テープ幅検出スイッチ２４は、カセット収容部１９に複数設けられている。テープ幅の異なるテープカセットは、複数のテープ幅検出スイッチ２４をそれぞれ異なる組み合わせで押下するように構成されている。これにより、後述する制御回路５（図６参照）が、押下されたテープ幅検出スイッチ２４の組み合わせから、テープカセットの種類を特定し、被印刷媒体Ｍの幅（テープ幅）を検出する。
【００２３】
カセット収容部１９には、さらに、被印刷媒体Ｍに印刷を行う印刷ヘッドであるサーマルヘッド１０と、被印刷媒体Ｍを搬送する搬送部であるプラテンローラ２１と、テープコア係合軸２２と、インクリボン巻取り駆動軸２３が設けられている。さらに、サーマルヘッド１０には、サーミスタ１３が埋め込まれている。サーミスタ１３は、サーマルヘッド１０の温度を測定する。
【００２４】
テープカセット３０がカセット収容部１９に収容された状態では、図５に示すように、カセットケース３１に設けられた係合部３７がカセット収容部１９に設けられたカセット受け部２０に支持されて、サーマルヘッド１０がカセットケース３１に形成されたサーマルヘッド被挿入部３６に挿入される。また、テープコア係合軸２２には、テープカセット３０のテープコア３２が係合し、さらに、インクリボン巻取り駆動軸２３には、インクリボン巻取りコア３５が係合する。
【００２５】
印刷装置１に印刷指示が入力されると、被印刷媒体Ｍは、プラテンローラ２１の回転によりテープコア３２から繰り出される。この際、インクリボンＲを巻取るインクリボン巻取り駆動軸２３がプラテンローラ２１に同調して回転することで、被印刷媒体ＭとともにインクリボンＲがインクリボン供給コア３４から繰り出される。これにより、被印刷媒体ＭとインクリボンＲは重なった状態で搬送される。そして、サーマルヘッド１０とプラテンローラ２１の間を通過する際に、カセットケース３１から引き出されたインクリボンＲがサーマルヘッド１０によって加熱されることで、インクが被印刷媒体Ｍに転写され、印刷が行われる。
【００２６】
サーマルヘッド１０とプラテンローラ２１の間を通過した使用済みのインクリボンＲは、インクリボン巻取りコア３５に巻き取られる。一方、サーマルヘッド１０とプラテンローラ２１の間を通過した印刷済みの被印刷媒体Ｍは、ハーフカット機構１６及びフルカット機構１７で切断され、それによって、ラベルが排出口２ａから排出される。なお、ラベルとは、被印刷媒体Ｍをハーフカット又はフルカットすることにより作成されたもののことをいう。
【００２７】
図６は、印刷装置１のハードウェア構造を示すブロック図である。印刷装置１は、上述した構成要素に加えて、図６に示すように、制御回路５、ＲＯＭ（Read Only Memory）６、ＲＡＭ（Random Access Memory）７、表示装置駆動回路８、ヘッド駆動回路９、搬送用モータ駆動回路１１、搬送用モータ１２、カッターモータ駆動回路１４、カッターモータ１５、ハーフカット機構１６、フルカット機構１７、電源回路４０を備える。
【００２８】
制御回路５は、ＣＰＵ（Central Processing Unit）などのプロセッサを含む。制御回路５は、ＲＯＭ６に格納されているプログラムをＲＡＭ７に展開し実行することで、印刷装置１の各部の動作を制御する。
【００２９】
ＲＯＭ６には、プログラム、プログラムの実行に必要な各種データ（例えば、フォント等）が格納されている。ＲＡＭ７は、プログラムの実行に用いられるワークメモリである。なお、印刷装置１での処理に用いられるプログラム及びデータを格納するコンピュータ読み取り可能な記録媒体には、ＲＯＭ６、ＲＡＭ７のような、物理的な（非一時的な）記録媒体が含まれる。
【００３０】
表示装置駆動回路８は、液晶表示ドライバ回路、有機ＥＬ表示ドライバ回路である。表示装置駆動回路８は、ＲＡＭ７に格納されている表示データに基づいて表示装置４を制御する。
【００３１】
ヘッド駆動回路９は、印刷データと制御信号に基づいてサーマルヘッド１０が有する発熱素子１０ａへの通電を制御する。サーマルヘッド１０は、主走査方向に配列された複数の発熱素子１０ａを有する印刷ヘッドである。サーマルヘッド１０は、発熱素子１０ａでインクリボンを加熱して熱転写により被印刷媒体Ｍに一ラインずつ印刷を行う。
【００３２】
搬送用モータ駆動回路１１は、搬送用モータ１２を駆動する。搬送用モータ１２は、例えばステッピングモーターであってもよく、直流（ＤＣ）モータであってもよい。搬送用モータ１２は、プラテンローラ２１を回転させる。プラテンローラ２１は、搬送用モータ１２の駆動力によって回転し、被印刷媒体Ｍの長手方向（副走査方向、搬送方向）に被印刷媒体Ｍを搬送する。
【００３３】
カッターモータ駆動回路１４は、カッターモータ１５を駆動する。フルカット機構１７及びハーフカット機構１６は、カッターモータ１５の動力によって動作し、被印刷媒体Ｍをフルカット又はハーフカットする。フルカットとは、被印刷媒体Ｍの基材を剥離紙とともに被印刷媒体Ｍの幅方向に沿って切断する動作のことであり、ハーフカットは、基材のみを幅方向に沿って切断する動作のことである。
【００３４】
電源回路４０は、電池５０からの電圧から出力電圧を生成し、印刷装置１に含まれる負荷装置２９（図８参照）に電力を供給する。負荷装置２９は、例えば、制御回路５、表示装置駆動回路８、ヘッド駆動回路９、搬送用モータ駆動回路１１、カッターモータ駆動回路１４などであり、電池５０からの電力が供給される。
【００３５】
また、電源回路４０は、液漏れ防止スイッチ２５の構成の一部である接点（接点２６ａ、接点２６ｂ、図７及び図８参照）を含んでいる。液漏れ防止スイッチ２５は、接点（接点２６ａ、接点２６ｂ）の開閉により電池５０と負荷装置２９とが電気的に接続されている状態と接続されていない状態とを切り替えるスイッチである。なお、電池５０は、一次電池や二次電池などの化学電池である。
【００３６】
図７は、液漏れ防止スイッチ２５の構成例について説明するための図である。図８は、電源回路４０内における液漏れ防止スイッチ２５の接続例を示した図である。以下、図７及ぶ図８を参照しながら、液漏れ防止スイッチ２５について詳細に説明する。
【００３７】
液漏れ防止スイッチ２５の各々（液漏れ防止スイッチ２５ａ、液漏れ防止スイッチ２５ｂ）は、図７に示すように、機械的に開閉する接点（接点２６ａ、接点２６ｂ）と、印刷装置１の表面に設けられた操作部（操作部２７ａ、操作部２７ｂ）と、操作部（操作部２７ａ、操作部２７ｂ）に加わった力を接点（接点２６ａ、接点２６ｂ）に機械的に伝達する機構（機構２８ａ、機構２８ｂ）と、を有している。
【００３８】
操作部２７ａ、操作部２７ｂは、それぞれ、押しボタンである。操作部２７ａ、操作部２７ｂは、装置筐体２の同じ面、より詳細には、印刷装置１の表面のうちの底面とは異なる面である背面に設けられている。つまり、印刷装置１を使用する際に設置面と接する表面とは異なる面に設けられている。図７（ａ）は、操作部２７ａ、操作部２７ｂが押下される前の状態を示している。
【００３９】
操作部２７ａを押し込むと、操作部２７ａに固定された機構２８ａが接点２６ａを開くように作用する。同様に、操作部２７ｂを押し込むと、操作部２７ｂに固定された機構２８ｂが接点２６ｂを開くように作用する。図７（ｂ）は、操作部２７ａ、操作部２７ｂが押下されている状態を示している。
【００４０】
そして、押し込まれていた操作部２７ａを離すと、操作部２７ａ及び機構２８ａは元の位置に戻り、その結果、接点２６ａが閉じる。同様に、押し込まれていた操作部２７ｂを離すと、操作部２７ｂ及び機構２８ｂは元の位置に戻り、その結果、接点２６ｂが閉じる。つまり、図７（ａ）は、操作部２７ａ、操作部２７ｂが押下される前の状態であり、且つ、操作部２７ａ、操作部２７ｂが押下された後にその押圧力が取り除かれた状態、を示している。
【００４１】
液漏れ防止スイッチ２５は、ｂ接点スイッチであり、且つ、モーメンタリスイッチである。従って、液漏れ防止スイッチ２５は押下されている間だけＯＦＦ状態（接点が開いた状態）を保持し、押下されていない間は、ＯＮ状態（接点が閉じた状態）を保持する。
【００４２】
液漏れ防止スイッチ２５ａに含まれる接点２６ａと液漏れ防止スイッチ２５ｂに含まれる接点２６ｂは、図８に示すように、電池５０と負荷装置２９との間に、並列接続されている。
【００４３】
以上のように構成された印刷装置１では、液漏れ防止スイッチ２５を押下することで、電池５０を完全に孤立させて、印刷装置１内の負荷装置２９から電気的に切り離すことができる。これにより、過放電、ひいては電池５０の液漏れを防止することができる。また、ソフトウェア処理が不要であり、接点を開閉する機械的構造により、電池５０を負荷装置２９から切り離すことができる。
【００４４】
図９は、縦置きされた印刷装置１の斜視図の一例である。印刷装置１は、図９に示すように、使用していない時には、縦置きされることで、狭いスペースに片付けることができる。印刷装置１では、液漏れ防止スイッチ２５は、モーメンタリスイッチ且つｂ接点スイッチである。また、液漏れ防止スイッチ２５の操作部（操作部２７ａ、操作部２７ｂ）は背面に設けられている。このため、印刷装置１が縦置きされている間、設置面によって２つの操作部が押下されている状態が保持され、その結果、液漏れ防止スイッチ２５がＯＦＦ状態で保持される。
【００４５】
従って、印刷装置１によれば、印刷装置１を使用後に縦置きして片付けるだけで、特別な操作を行うことなく、電池５０の液漏れを防止することができる。
【００４６】
図１０は、印刷装置１と収納ケース６０の斜視図の一例である。印刷装置１には、専用の収納ケース６０が用意されていても良い。収納ケース６０は、印刷装置１が収納されているときに、液漏れ防止スイッチ２５の操作部（操作部２７ａ、操作部２７ｂ）を押圧する形状を有している。具体的には、収納ケース６０は、例えば、図１０に示すように、印刷装置１を収納する収納部６１の、収納された印刷装置１の操作部（操作部２７ａ、操作部２７ｂ）と対向する位置に、凸部６２が設けられていてもよい。これにより、印刷装置１が収納ケース６０に収納されている間、操作部が押下されている状態が保持され、その結果、液漏れ防止スイッチ２５がＯＦＦ状態で保持される。
【００４７】
従って、印刷装置１によれば、印刷装置１を使用後に収納ケース６０に収納して片付けるだけで、特別な操作を行うことなく、電池５０の液漏れを防止することができる。
【００４８】
印刷装置１は、複数の液漏れ防止スイッチ（液漏れ防止スイッチ２５ａ、液漏れ防止スイッチ２５ｂ）を含み、それらに含まれている複数の接点（接点２６ａ、接点２６ｂ）は、電源回路４０内で並列に接続されている。このため、印刷装置１の使用中に、複数の操作部（操作部２７ａ操作部２７ｂ）のいずれかが誤って押下されたとしても、印刷装置１の動作が停止することがない。複数の操作部のすべてが押下されたときだけ電力供給が停止する。
【００４９】
従って、印刷装置１によれば、印刷装置１の使用中における液漏れ防止スイッチに起因する誤作動を回避することができる。  
【００５０】
図１１は、裏返した印刷装置１ａの斜視図の一例である。図１２は、液漏れ防止スイッチ７５の動作例について説明するための図である。以下、図１１及び図１２を参照しながら、印刷装置１の変形例である印刷装置１ａについて説明する。
【００５１】
印刷装置１ａは、複数の液漏れ防止スイッチ（液漏れ防止スイッチ７５ａ〜液漏れ防止スイッチ７５ｅ、これらをまとめて液漏れ防止スイッチ７５と記す）を備える点は、印刷装置１と同様である。ただし、図１１に示すように、液漏れ防止スイッチの操作部（操作部７７ａ〜操作部７７ｅ）が印刷装置１ａの表面のうちの底面に設けられている点、つまり、印刷装置１を使用する際に設置面と接する表面に設けられている点が、印刷装置１とは異なる。
【００５２】
また、印刷装置１ａが有する複数の液漏れ防止スイッチは、図１２に示すように、モーメンタリスイッチ且つａ接点スイッチである。図１２（ａ）は、操作部７７ａ、操作部７７ｂ、・・・が押下されている状態を示している。この状態では、液漏れ防止スイッチ７５ａにおいて、操作部７７ａに固定された機構７８ａが接点７６ａを閉じるように作用する。液漏れ防止スイッチ７５ｂ〜液漏れ防止スイッチ７５ｅでも同様である。図１２（ｂ）は、操作部７７ａ〜操作部７７ｅに加わっていた押圧力が取り除かれた状態を示している。この状態では、液漏れ防止スイッチ７５ａにおいて、操作部７７ａに固定された機構７８ａが接点７６ａを開くように作用する。液漏れ防止スイッチ７５ｂ〜液漏れ防止スイッチ７５ｅでも同様である。
【００５３】
以上のように構成された印刷装置１ａでは、液漏れ防止スイッチを押下しないことで、電池を完全に孤立させて、印刷装置１ａ内の負荷装置からの電気的に切り離すことができる。これにより、印刷装置１と同様に、過放電、ひいては電池の液漏れを防止することができる。また、印刷装置１ａを使用後に縦置きして片付けるだけで、すべての液漏れ防止スイッチが押下されていない状態となるため、特別な操作を行うことなく、電池の液漏れを防止することができる。また、印刷装置１ａが収納されているときに、操作部（操作部７７ａ〜操作部７７ｅ）を押圧しない形状を有する収納ケース、例えば、収納された印刷装置１ａの操作部（操作部７７ａ〜操作部７７ｅ）と対向する位置に凹部が設けられた専用の収納ケースを用意しても良い。これにより、印刷装置１と同様に、印刷装置１ａを使用後に収納ケースに収納して片付けるだけで、特別な操作を行うことなく、電池の液漏れを防止することができる。
【００５４】
上述した実施形態は、発明の理解を容易にするために具体例を示したものであり、本発明はこれらの実施形態に限定されるものではない。電子機器、及び、収納ケースは、特許請求の範囲の記載を逸脱しない範囲において、さまざまな変形、変更が可能である。
【００５５】
上述した実施形態では、電子機器として印刷装置を例示したが、電子機器は印刷装置に限らない。電池を電源として駆動する電子機器であればよい。また、電子機器は、ＡＣアダプタを備えてもよく、ＡＣアダプタからの電力が電池からの電力に優先して利用されてもよい。その場合、ＡＣアダプタの使用されている間は、液漏れ防止スイッチにより、電池が負荷装置２９からの電気的に切り離されてもよい。具体的には、例えば、ＡＣアダプタの端子が印刷装置１に差し込まれると押下されるように液漏れ防止スイッチを構成しても良い。これにより、ＡＣアダプタ利用中の電池の過放電に起因する液漏れを防止することができる。
【００５６】
以下、本願の出願当初の特許請求の範囲に記載された発明を付記する。
［付記１］
化学電池を電源として駆動する電子機器であって、
前記化学電池からの電力が供給される負荷装置と、
機械的に開閉する接点と、前記電子機器の表面に設けられた操作部と、前記操作部に加わった力を前記接点に機械的に伝達する機構と、を有し、前記接点の開閉により前記化学電池と前記負荷装置とが電気的に接続されていないる状態と接続されている状態とを切り替える、少なくとも１つのスイッチと、を備え、
前記操作部は、前記電子機器が特定の設置状態となった場合に、前記化学電池と前記負荷装置とが電気的に接続されていない状態になるように押圧される位置に設けられたことを特徴とする電子機器。
【００５７】
［付記２］
付記１に記載の電子機器において、
前記少なくとも１つのスイッチは、モーメンタリスイッチである
ことを特徴とする電子機器。
【００５８】
［付記３］
付記１又は付記２に記載の電子機器において、
前記少なくとも１つのスイッチは、ｂ接点スイッチである
ことを特徴とする電子機器。
【００５９】
［付記４］
付記３に記載の電子機器において、
前記操作部は、前記電子機器を使用する際に設置面と接する表面とは異なる面に設けられる
ことを特徴とする電子機器。
【００６０】
［付記５］
付記１又は付記２に記載の電子機器において、
前記少なくとも１つのスイッチは、ａ接点スイッチである
ことを特徴とする電子機器。
【００６１】
［付記６］
付記５に記載の電子機器において、
前記操作部は、前記電子機器を使用する際に設置面と接する表面に設けられる
ことを特徴とする電子機器。
【００６２】
［付記７］
付記１乃至付記６のいずれか１つに記載の電子機器において、
前記少なくとも１つのスイッチは、複数のスイッチであり、
前記複数のスイッチに含まれる複数の接点は、前記化学電池と前記負荷装置との間に、並列接続されている
ことを特徴とする電子機器。
【００６３】
［付記８］
付記７に記載の電子機器において、
前記複数のスイッチに含まれる複数の操作部は、前記電子機器の同じ面に設けられている
ことを特徴とする電子機器。
【００６４】
［付記９］
付記１乃至付記４のいずれか１つに記載の電子機器を収納する収納ケースであって、
前記電子機器が収納されているときに、前記操作部を押圧する形状を有する
ことを特徴とする収納ケース。
【００６５】
［付記１０］
付記１、付記２、付記５又は付記６に記載の電子機器を収納する収納ケースであって、
前記電子機器が収納されているときに、前記操作部を押圧しない形状を有する
ことを特徴とする収納ケース。
【符号の説明】
【００６６】
１、１ａ                                  印刷装置
２５、２５ａ、２５ｂ、７５ａ〜７５ｅ      液漏れ防止スイッチ
２６ａ、２６ｂ、７６ａ〜７６ｅ            接点
２７ａ、２７ｂ、７７ａ〜７７ｅ            操作部
２８ａ、２８ｂ、７８ａ〜７８ｅ            機構
２９                                      負荷装置
４０                                      電源回路
５０                                      電池
６０                                      収納ケース
６１                                      収納部
６２                                      凸部
【図１】
2019115090.tif 000003
【図２】
2019115090.tif 000004
【図３】
2019115090.tif 000005
【図４】
2019115090.tif 000006
【図５】
2019115090.tif 000007
【図６】
2019115090.tif 000008
【図７】
2019115090.tif 000009
【図８】
2019115090.tif 000010
【図９】
2019115090.tif 000011
【図１０】
2019115090.tif 000012
【図１１】
2019115090.tif 000013
【図１２】
2019115090.tif 000014